(57)【要約】【課題】プラグに他のプラグが差し込める、差込口３を有する差込口付プラグを提供すること。【解決手段】１）プラグ５に差込口３を設ける。差込口付プラグは、コード４の先をコード止部３２にネジ３３で止めるものでもよいし、コード４とともにプラスチックで射出成型するものでもよい。２）差込口３を複数個設ける。３）プラグ刃２の方向を可変にする。効果、コンセントが足らないときでも、タップ６が要らない。【選択図】        図２
2004288411.tif 000002
【特許請求の範囲】
【請求項１】
差込口（３）を有する差込口付プラグ。
【請求項２】
差込口（３）が複数個ある、請求項１記載の差込口付プラグ。
【請求項３】
プラグ刃（２）の方向が可変である、請求項１又は請求項２記載の差込口付プラグ。
【発明の詳細な説明】
【０００１】
【発明の属する技術分野】
この発明は、差込口の付いたプラグに関する。プラグは、電源プラグのことで、電源コードの先に取り付けて、電気の供給を受けるために電源コンセントに差し込んで使用するものである。差込口は、他のプラグのプラグ刃を差し込んで電気を供給するものである。
【０００２】
【従来の技術】
従来のプラグは、図４に示すように、プラグ５本体にプラグ刃２が付いているだけで、差込口３の付いたものはなかった。従来、（Ｃ）に示すようなコード４の反対側の面に、コード４に平行（同方向）にプラグ刃２の付いたプラグ５が多かった。最近、（Ａ）に示すようなコード４に対して直角方向にプラグ刃２を設けたプラグが増えている。このプラグは、例えば家具と壁面との隙間が狭いとき等に重宝されている。
【０００３】
【発明が解決しようとする課題】
最近の電気機器は、テレビ、冷蔵庫等を初めとして、壁面のコンセントにプラグを差し込んだら長期間そのままというものが多い。コンセントが足らなくなるので、タップを間に入れねばならないことがことが多い。タップとは、コンセント口が足らないときに、コンセント口を増やす補助具で、２口、３口、プラグ刃の方向が変わるもの等がある。
【０００４】
プラグに差込口３を設けると、他のプラグのプラグ刃２を差し込むことができるので、タップが不要になる。
【０００５】
この発明が解決しようとする課題は、差込口を有するプラグを提供することである。
【０００６】
【課題を解決するための手段】
この発明に係る差込口付プラグは、前記の課題を解決したものであって、次のようなものである。
【０００７】
請求項１記載の発明に係る差込口付プラグは、プラグに差込口３を設けたものである。前記のように、プラグは、電源プラグのことでコードの先に付けてコンセントに差し込み、電気の供給を受けるものである。差込口３は、プラグのプラグ刃２を差し込んで電気を供給するものである。
【０００８】
差込口付プラグは、蓋１１を外して、コード４の先をコード止部３２にネジ３３で止めるものでもよいし、コード４とともにプラスチックで射出成型で作るものでもよい。
【０００９】
請求項２記載の発明に係る差込口付プラグは、差込口３が複数個あるものである。差込口３の数は、実施例に挙げた３個よりも多いものでもよい。直方体や実施例２の本体１の差込口３のない２面に差込口３を設けてもよい。
【００１０】
請求項３記載の発明に係る差込口付プラグは、プラグ刃２の方向が変えられるもので、請求項１又は請求項２記載のものである。プラグ刃２の方向は、プラグ刃可動部２１により、上下各９０度計  １８０度変えられる。
【００１１】
【発明の実施の形態】
本発明の実施の形態を実施例に基づき、図面を参照しながら説明する。
【実施例】
実施例１
実施例１を図１に基づいて説明する。図１の（Ａ）は、差込口３を設けたプラグを示す斜視図、（Ｂ）はプラグ内部の結線状態のみを示す斜視図、（Ｃ）はプラグ内部の状態を示す斜視図、（Ｄ）はこのプラグの使用状態の一例を示す斜視図である。
【００１２】
実施例１の差込口付プラグは、差込口３が１個のもので、外観は（Ａ）の通りである。差込口３は、プラグ刃２のある面の丁度反対側の面にある。差込口３のの方向とプラグ刃２の方向とは平行（同じ方向）である。
【００１３】
結線状態は、（Ｂ）に示すように、コード４の先を（被覆を剥がし、以下同様）コード止部３２にネジ３３で止める。左右とも同様にする。コード止部３２は、プラグ刃２の他端を直角に曲げてネジ孔をあけたもので、プラグ刃受３１の側面にリベット３４で固定する。従って、プラグ刃２と差込口３のプラグ刃受３１とは電気的に結合している。なお、プラグ刃２の方向は、実施例２のように、差込口３の方向と直角にしてもよい。又、プラグ刃受３１の形状やプラグ刃２との結合方法は、実施例１の例に限らず、他のやり方でもよい。要は、プラグ刃受３１、コード止部３２及びプラグ刃２が電気的にも機械的にも結合していればよい。なお、図ではコード４の先の部分は、点線で示している。
【００１４】
（Ｃ）は、本体１の蓋１１を想像線で示し、内部を示したもので、コード４をつなぐ前の状態を示す。本体１の下部を形成するケース１２には、コード４を入れるコード挿入部１３を設ける。コード４は、コード挿入部１３から入れて、コード止部３２にネジ３３で止める。左右２本のコード４を止めた後、蓋１１をかぶせてネジ止めする。なお、図ではネジ３３を省略している。
【００１５】
差込口３には他のプラグのプラグ刃２が挿入できるので、（Ｄ）に示すように、本体１の上に他の差込口付プラグを重ねて使用できる。想像線で示すように、３個重ねて使用することもできる。タップは、不要である。勿論、差込口３には普通のプラグをはめてもよい。用途は、テレビ、ルームクーラー等長期間差し込んだままにするプラグに適用すると、タップを使用しないで済む。差込口付プラグは、プラスチックでコード４とともに射出成型したものでもよい。
【００１６】
実施例１の差込口付プラグは、差込口３に他のプラグのプラグ刃２を挿入できるので、コンセント口が１個しかなくても、タップ無しで他のプラグをつなぐことができるという効果がある。この差込口付プラグでは（Ｄ）に示すように、立体的に重ねることもできるという効果がある。差込口３の挿入口の方向とプラグ刃２の方向とが平行であるので、元のコンセントと同じ感覚で、コンセントの位置が少し高くなっただけという感覚である。
【００１７】
実施例２
実施例２を図２に基づいて説明する。図２の（Ａ）は、差込口３を３個設けたプラグを示す斜視図、（Ｂ）はプラグ内部の結線状態のみを示す斜視図、（Ｃ）はプラグ内部の状態を示す斜視図、（Ｄ）はこのプラグの使用状態を示す斜視図である。
【００１８】
実施例２の差込口付プラグは、差込口３が３個のもので、外観は（Ａ）の通りである。差込口３の方向とプラグ刃２の方向とは、実施例１とは異なり、直角である。直角にする理由は、差込口が２個以上あるコンセントに、実施例２の差込口付プラグを挿入し場合に、この差込口３に挿入したプラグと、このコンセントの隣の差込口に同様にして挿入したタップ６又は、差込口付プラグの差込口３に挿入した別のプラグとが接触しないようにするためである。現に、市販の２口又は３口のタップ６のプラグ刃２と差込口３との方向は、このように直角になっている。
【００１９】
（Ｂ）に示すように、プラグ刃受３１は３個直列に並んでおり、結線状態は、コード４の先をコード止部３２にネジ３３で止める。左右とも同様にする。図の通りプラグ刃２とプラグ刃受３１とは、リベット３４により結合している。従って、プラグ刃２と差込口３の３個のプラグ刃受３１とは電気的に結合している。実施例１と異なり、プラグ刃２がプラグ刃受３１に対して直角になっているので、コード止部３２とプラグ刃２とは別体である。コード止部３２は、リベット３４で止める。なお、図ではネジ３３は、省略している。
【００２０】
（Ｃ）は、本体１の内部を示したもので、コード４をつなぐ前の状態を示す。コード４は、コード挿入部１３から入れて、コード止部３２にネジ３３で止める。左右２本のコード４を止めた後、蓋１１をかぶせてネジ止めする。蓋１１の側面形状は、台形であるが長方形でもよい。この場合は、プラグ刃受３１の両端部を水平にする。又、差込口３の数は２個にしてもよい。なお、図ではネジ３３は、省略している。
【００２１】
差込口３には他のプラグ５のプラグ刃２が挿入できるので、（Ｄ）に示すように、最大３個のプラグ５を差し込める。
【００２２】
実施例２の差込口付プラグは、差込口３が３個あるので、これを使用することにより、タップ６無しでも更にコンセント口が２個増加したのと同じという効果がある。
【００２３】
実施例３
実施例３を図３に基づいて説明する。図３の（Ａ）は、プラグ刃２が可動のプラグを示す斜視図、（Ｂ）は内部を示す斜視図、（Ｃ）は使用状態をを示す斜視図である。
【００２４】
実施例３の差込口付プラグは、プラグ刃２が可動のもので、外観は（Ａ）の通りである。差込口３は、２個である。プラグ刃可動部２１は、上下各９０度計  １８０度曲がる。コード４は、コード挿入部１３から入れて、コード止部３２にネジ３３で止める。導電部３５に斜線を施したのは、結線状態を示すためである。反対側（電気の＋−の反対の意）は、下側になっていて分りにくい。コード４をつないだ後、蓋１１をしてネジ止めする。なお、コード４とともにプラスチックで射出成型したものでもよい。
【００２５】
使い方は、（Ｃ）に示すように、プラグ刃２をコンセントに差し込み、差込口３に他のプラグ５を差し込む。図は、壁面のコンセントに差し込んだ状態を示している。
【００２６】
実施例３の差込口付プラグは、プラグ刃２の方向が変えられるので、タップ６が不要の他に、狭い所即ち、コンセントのある壁面と家具等との隙間が小さい所等に使い易いという効果がある。
【００２７】
【発明の効果】
請求項１に示す発明の差込口付プラグは、差込口３が付いているので、差込口３に他のプラグを挿入することができ、コンセントの数が足らないときでも、タップ６が要らないという効果がある。
【００２８】
請求項２に示す発明の差込口付プラグは、差込口３が複数個付いているので、コンセントの差込口が増加したのと同じ効果がある。
【００２９】
請求項３に示す発明の差込口付プラグは、プラグ刃２の方向が変えられるので、タップ６が不要の他に、狭い所即ち、コンセントのある壁面と家具等との隙間が小さい所等に使い易いという効果がある。
【図面の簡単な説明】
【図１】実施例１を示す斜視図である。
【図２】実施例２を示す斜視図である。
【図３】実施例３を示す斜視図である。
【図４】従来技術を示す斜視図である。
【符号の説明】
１    本体
１１  蓋
１２  ケース
１３  コード挿入部
２    プラグ刃
２１  プラグ刃可動部
３    差込口
３１  プラグ刃受
３２  コード止部
３３  ネジ
３４  リベット
３５  導電部
４    コード
５    プラグ
６    タップ
【図１】
2004288411.tif 000003
【図２】
2004288411.tif 000004
【図３】
2004288411.tif 000005
【図４】
2004288411.tif 000006